(57)【要約】【課題】木造ラーメン構造としての充分な接合剛性や耐久性を得ることができ、施工性、経済性、利便性に優れた木造建築における木質部材の接合構造及び木造ラーメン構造を提供する。【解決手段】第１木質四角柱部材の少なくとも一端部の少なくとも一方の側面に段部を切欠して接合空間を設けることによって、外方に突出する突部を形成し、また、第２木質四角柱部材の少なくとも一端部の少なくとも一方の側面に段部を切欠して接合空間を設けることによって、外方に突出する突部を形成すると共に、該第１木質四角柱部材の突部の側面の形状と、該第２木質四角柱部材の突部の側面の形状とが、互いに密着して接合するように形成することにより、該第１木質四角柱の突部の側面と、該第２木質四角柱部材の突部の側面とを互いに密着して接合せしめ、該接合部分を回動不能に固定せしめる固定手段により固定するようにした。【選択図】  図２
2004190300.tif 000002
【特許請求の範囲】
【請求項１】
木造建築における第１木質四角柱部材と第２木質四角柱部材とを接合するための接合構造であって、第１木質四角柱部材の少なくとも一端部の少なくとも一方の側面に段部を切欠して接合空間を設けることによって、外方に突出する突部を形成し、また、第２木質四角柱部材の少なくとも一端部の少なくとも一方の側面に段部を切欠して接合空間を設けることによって、外方に突出する突部を形成すると共に、該第１木質四角柱部材の突部の側面の形状と、該第２木質四角柱部材の突部の側面の形状とが、互いに密着して接合するように形成することにより、該第１木質四角柱の突部の側面と、該第２木質四角柱部材の突部の側面とを互いに密着して接合せしめ、該接合部分を回動不能に固定せしめる固定手段により固定することを特徴とする木造建築における木質部材の接合構造。
【請求項２】
前記第１木質四角柱部材の突部の側面の形状が、先端方向外方に広がるように傾斜し且つ側方に傾斜せしめられ、また、前記第２木質四角柱部材の突部の側面の形状が、該第１木質四角柱部材の突部の側面の形状に密着して接合するするように形成されていることを特徴とする請求項１記載の木造建築における木質部材の接合構造。
【請求項３】
前記第１木質四角柱部材の突部の側面の形状が、先端方向に平行で且つ側方に直角とし、また、前記第２木質四角柱部材の突部の側面の形状が、該第１木質四角柱部材の突部の側面の形状に密着して接合するするように形成されていることを特徴とする請求項１記載の木造建築における木質部材の接合構造。
【請求項４】
前記固定手段が、前記接合部分の一側端から他側端に貫通する緊締金具であり、該緊締金具により該接合部分を回動不能に締結し固定することを特徴とする請求項１〜３のいずれか１項記載の木造建築における木質部材の接合構造。
【請求項５】
前記固定手段が、前記接合部分の出隅部及び入隅部の少なくとも一方に釘着されるＬ字型金具であり、該Ｌ字型金具を釘着し固定することを特徴とする請求項１〜３のいずれか１項記載の木造建築における木質部材の接合構造。
【請求項６】
前記第１木質四角柱部材と前記第２木質四角柱部材を夫々複数本用い、互い違いに隣接するように配置してなること、を特徴とする請求項１〜５のいずれか１項記載の木造建築における木質部材の接合構造。
【請求項７】
前記第１木質四角柱部材が柱であり、前記第２木質四角柱部材が梁であること、を特徴とする請求項１〜６のいずれか１項記載の木造建築における木質部材の接合構造。
【請求項８】
前記第１木質四角柱部材が柱であり、前記第２木質四角柱部材が土台であること、を特徴とする請求項１〜７のいずれか１項記載の木造建築における木質部材の接合構造。
【請求項９】
請求項１〜８のいずれか１項記載の木造建築における木質部材の接合構造を用いた木造ラーメン構造。
【発明の詳細な説明】
【０００１】
【発明の属する技術分野】
本発明は、木造建築における木質部材の接合構造及びこれを用いた木造ラーメン構造に関する。
【０００２】
【関連技術】
ラーメン構造は、主に、鉄骨造、ＲＣ（Ｒｅｉｎｆｏｒｃｅｄ  Ｃｏｎｃｒｅｔｅ）造で用いられる接合構造であり、図１４（ａ）に示すように、垂直材である柱２と横架材である梁４の接合部分（節点）が剛接合された接合構造である。ラーメン構造では、地震や台風等により水平方向の力（水平荷重）が加わっても、各節点の接合剛性で抵抗し、その変形量δが少ないことが求められる。
【０００３】
他方、木造の場合は、一般的に、土台、柱、梁、桁、筋かいにより骨組を構成し、水平荷重に対しては壁で抵抗させる軸組構造や、木造の枠組を構成し、これに合板を釘打ちして床・壁を構築するツーバイフォー（２×４）構造などがある。これら従来の木造建築では、図１４（ｂ）に示すように、水平荷重が加わった場合の柱２と梁４の節点の変形量δを少なくするための壁３（耐力壁）が必須となるため、使用できる空間が著しく制限されるという欠点があり、例えば、木造３階建ての１階に車庫や店舗のための空間を構築し、その幅一杯に、出入り口として広く大きな開口部を設ける等といったことが非常に困難である。
【０００４】
そこで、木造のラーメン構造を実現しようとする試みも提案されており、例えば、特殊な仕口加工を施して特殊な連結金具で柱と梁を接合し、節点の接合剛性を向上させるものが知られている（例えば、特許文献１及び特許文献２参照）。
【０００５】
【特許文献１】
特開平８−２４６５６１号公報
【特許文献２】
特開平１０−３３１２６２号公報
【０００６】
しかし、これらの木造ラーメン構造では、概して、特殊な仕口加工に手間が掛かるため、施工性に難があったり、特殊な連結金具を用いるために経済性に難がある。また、充分な接合剛性や耐久性を得るには、連結金具及び仕口加工の配置や加工の精度も問題となるため、簡便なものではなく、利便性に劣る。
【０００７】
【発明が解決しようとする課題】
本発明は、上記した木造建築における木質部材の接合構造、特には木造ラーメン構造の問題点に鑑みてなされたものであり、木造ラーメン構造としての充分な強度を有する接合剛性や耐久性を得ることができ、施工性、経済性、利便性に優れた木造建築における木質部材の接合構造及び木造ラーメン構造を提供することを目的とする。
【０００８】
【課題を解決するための手段】
上記課題を解決するために、本発明の第１の態様の木造建築における木質部材の接合構造は、木造建築における第１木質四角柱部材と第２木質四角柱部材とを接合するための接合構造であって、第１木質四角柱部材の少なくとも一端部の少なくとも一方の側面に段部を切欠して接合空間を設けることによって、外方に突出する突部を形成し、また、第２木質四角柱部材の少なくとも一端部の少なくとも一方の側面に段部を切欠して接合空間を設けることによって、外方に突出する突部を形成すると共に、該第１木質四角柱部材の突部の側面の形状と、該第２木質四角柱部材の突部の側面の形状とが、互いに密着して接合するように形成することにより、該第１木質四角柱の突部の側面と、該第２木質四角柱部材の突部の側面とを互いに密着して接合せしめ、該接合部分を回動不能に固定せしめる固定手段により固定することを特徴とする。
【０００９】
前記第１木質四角柱部材の突部の側面の形状が、先端方向外方に広がるように傾斜し且つ側方に傾斜せしめられ、また、前記第２木質四角柱部材の突部の側面の形状が、該第１木質四角柱部材の突部の側面の形状に密着して接合するするように形成されていることが好適な態様である。
【００１０】
前記第１木質四角柱部材の突部の側面の形状が、先端方向に平行で且つ側方に直角とし、また、前記第２木質四角柱部材の突部の側面の形状が、該第１木質四角柱部材の突部の側面の形状に密着して接合するするように形成されていることも好適な態様である。
【００１１】
前記固定手段が、前記接合部分の一側端から他側端に貫通する緊締金具であり、該緊締金具により該接合部分を回動不能に締結し固定することが好ましい。
【００１２】
前記固定手段が、前記接合部分の出隅部及び入隅部の少なくとも一方に釘着されるＬ字型金具であり、該Ｌ字型金具を釘着し固定することもできる。
【００１３】
前記第１木質四角柱部材と前記第２木質四角柱部材を夫々複数本用い、互い違いに隣接するように配置してなることが好ましい。例えば、第１木質四角柱部材と第２木質四角柱部材を夫々２〜４本程度とすれば、充分な強度を有する剛接合となる。
【００１４】
前記第１木質四角柱部材が柱であり、前記第２木質四角柱部材が梁であることができるし、また、前記第１木質四角柱部材が柱であり、前記第２木質四角柱部材が土台であることもできる。
【００１５】
上記本発明の木造建築における木質部材の接合構造を用いて木造ラーメン構造を構成すれば、充分な接合剛性と耐久性を得ることができ、施工性、経済性、利便性に優れたものとなる。
【００１６】
【発明の実施の形態】
以下に本発明の実施の形態をあげるが、以下の説明は、例示的に示されるもので限定的に解釈すべきものでないことはいうまでもない。
【００１７】
図１は、本発明の木造建築における木質部材の接合構造で用いる木質四角柱部材の端部形状の一例を示す概念説明図であり、（ａ）はその平面図、（ｂ）はその正面図である。図２は、図１の木質四角柱部材の端部形状の一例を用いた場合の本発明の接合構造（柱と梁を接合する場合）を示す概念説明図であり、図３は、図２の接合状態を示す概念説明図である。図４は、図１の木質四角柱部材の端部形状の一例を用いた場合の本発明の接合構造（柱と土台を接合する場合）を示す概念説明図であり、図５は、図４の接合状態を示す概念説明図である。図６は、図１の木質四角柱部材の端部形状の一例を用いた場合の本発明の接合構造により、柱、梁及び土台を接合し、本発明の木造ラーメン構造を構築した場合を示す概念説明図である。
【００１８】
図１において、符号１は木質四角柱部材であり、本発明において、柱、梁或いは土台として用いられる部材である。木質四角柱部材１としては市販の製材を用いることができ、例えば、３．５寸角〜４．５寸角の製材を用いればよい。
【００１９】
木質四角柱部材１は直胴部が幅Ｄ１であり、その端部には両側面に段部１２を切り欠き、接合空間１６が形成されており、これにより外方に突出する突部１０が形成されている。この突部１０は、いわゆる蟻ホゾに類似した形状となっており、その側面１４が先端方向外方に広がるように傾斜する鳩尾形であり、且つその側面１４は側方にも傾斜した形状となっている。
【００２０】
即ち、平面図〔図１（ａ）〕で見た場合の突部１０の基端部の幅Ｄ２，Ｄ４よりも突部１０の先端部の幅Ｄ３，Ｄ５の方が広くなるように形成され、且つ、正面図〔図１（ｂ）〕で見た場合の突部１０の一方の面側の幅Ｄ２，Ｄ３よりも他方の面側の幅Ｄ４，Ｄ５の方が広くなるように形成されているものである。
【００２１】
而して、突部１０の側面１４は、先端方向外方に広がるように傾斜する角度（幅Ｄ２，Ｄ４から幅Ｄ３，Ｄ５に広がる角度）と、側方に傾斜する角度（幅Ｄ２，Ｄ３から幅Ｄ４，Ｄ５に広がる角度）との２方向に傾斜せしめられることとなる。なお、この２方向の傾斜角度は、同じ角度となるように形成しておけば、本発明の接合構造を構成し易い態様となる。
【００２２】
なお、図示例では、木質四角柱部材１の端部の両側面に段部１２を切り欠き、接合空間１６を形成する場合を示しているが、本発明の接合構造を構成する際の両側端に位置する部材については、その端部の内側の側面のみに段部１２を切り欠くようにすればよく、外側の側面には段部１２を切り欠く必要はない。
【００２３】
図２において、符号６０ａは、図１の木質四角柱部材の端部形状の一例を用いた場合の本発明の接合構造であって、柱と梁を接合する場合の接合構造である。符号２ａ，２ｂは、第１木質四角柱部材であり、垂直材としての柱である。符号４ａ，４ｂ，４ｃは、第２木質四角柱部材であり、横架材としての梁である。柱２ａ，２ｂは直胴部が幅Ｄ１であり、梁４ａ，４ｂ，４ｃは直胴部が幅Ｅ１である。両者の直胴部の幅Ｄ１，Ｅ１は同じでもよいし、異なってもよい。
【００２４】
この柱２ａ，２ｂ及び梁４ａ，４ｂ，４ｃは、前述した木質四角柱部材１と同様の端部形状を有するものであり、柱２ａ，２ｂには、夫々、前記図１に示した突部１０と同様の突部１０ａ，１０ｂが形成され、また、梁４ａ，４ｂ，４ｃにも、夫々、同様の突部２０ａ，２０ｂ，２０ｃが形成されているものである。但し、本発明の接合構造６０ａの両側端に位置する部材（図示例では、梁４ａ，４ｃ）については、その端部の内側（柱２ａ，２ｂと隣接する側）の側面のみに段部を切り欠くようにすればよく、外側の側面には段部を切り欠く必要はない。
【００２５】
第２木質四角柱部材としての梁４ａ，４ｂ，４ｃの突部２０ａ、２０ｂ，２０ｃにおける柱２ａ，２ｂの突部１０ａ，１０ｂと隣接する側の側面は、該柱２ａ，２ｂの突部１０ａ，１０ｂの側面に密着して接合するように形成されており、即ち、柱２ａと梁４ｂを例にとって説明すると、柱２ａの突部１０ａの側面１４ａにおける先端方向外方に広がるように傾斜する角度（幅Ｄ２から幅Ｄ３にかけて広がる角度）に対して、梁４ｂの突部２０ｂの側面２４ｂにおける側方に傾斜する角度（幅Ｅ５から幅Ｅ３にかけて狭くなる角度）が一致し、また、柱２ａの突部１０ａの側面１４ａにおける側方に傾斜する角度（幅Ｄ５から幅Ｄ３にかけて狭くなる角度）に対して、梁４ｂの突部２０ｂの側面２４ｂにおける先端方向外方に広がるように傾斜する角度（幅Ｅ２から幅Ｅ３にかけて広がる角度）が一致することとなり、従って、両側面は密着して接合可能となっている。
【００２６】
このような柱２ａ，２ｂ及び梁４ａ，４ｂ，４ｃを接合する場合には、まず、これらの部材が互い違いに隣接するように配置する。即ち、水平方向に配置された梁４ａの隣に柱２ａを垂直方向に配置し、その隣に梁４ｂを水平方向に配置し、その隣に柱２ｂを垂直方向に配置し、その隣に梁４ｃを水平方向に配置する。
【００２７】
そして、互い違いに配置された柱２ａ，２ｂ及び梁４ａ，４ｂ，４ｃの突部の側面同士を当接し、接合空間で一致するようにして係合する。なお、この際、柱２ａ，２ｂの先端面と梁４ａ，４ｂ，４ｃの上端面が面一になるようにし、且つ、梁４ａ，４ｂ，４ｃの先端面と柱２ａ，２ｂの外側面が面一になるようにする。
【００２８】
次いで、柱２ａ，２ｂと梁４ａ，４ｂ，４ｃとの接合部分を緊締金具４０により締結する。即ち、緊締金具４０は、長尺ボルト４２ａ，４２ｂと、座金４３ａ，４３ｂと、ナット４４ａ，４４ｂからなり、長尺ボルト４２ａ，４２ｂを接合部分の一側端から他側端に貫通せしめ、座金４３ａ，４３ｂを介して、ナット４４ａ，４４ｂで締め付けて、接合部分を固定する。
【００２９】
このようにして、図３に示した如く、第１木質四角柱部材である柱２ａ，２ｂと第２木質四角柱部材である梁４ａ，４ｂ，４ｃとが互い違いに隣接して密着し、両者の接合部分を締結することで完全に固定されるため、木造ラーメン構造で用いるのに充分な接合剛性や耐久性を備えた柱と梁の接合構造となる。
【００３０】
次に、前述した図２及び図３の説明では、第１木質四角柱部材を柱とし、第２木質四角柱部材を梁として接合する場合を説明したが、第１木質四角柱部材を柱とし、第２木質四角柱部材を土台として接合することもできる。
【００３１】
図４において、符号６０ｂは、図１の木質四角柱部材の端部形状の一例を用いた場合の本発明の接合構造であって、柱と土台を接合する場合の接合構造である。符号２ａ，２ｂは、第１木質四角柱部材であり、垂直材としての柱である。符号６ａ，６ｂ，６ｃは、第２木質四角柱部材であり、横材としての土台である。
【００３２】
土台６ａ，６ｂ，６ｃは、夫々、コンクリート基礎（不図示）に埋め込まれているアンカーボルト５２ａ，５２ｂに対し、座金５３ａ，５３ｂを介してナット５４ａ，５４ｂで締め付けることにより固定されるようになっている。
【００３３】
この柱２ａ，２ｂ及び土台６ａ，６ｂ，６ｃは、前述した木質四角柱部材１と同様の端部形状を有するものであり、柱２ａ，２ｂには、夫々、前記図１に示した突部１０と同様の突部１０ｃ，１０ｄが形成され、また、土台６ａ，６ｂ，６ｃにも、夫々、同様の突部３０ａ，３０ｂ，３０ｃが形成されている。但し、本発明の接合構造６０ｂの両側端に位置する部材（図示例では、土台６ａ，６ｃ）については、その端部の内側（柱２ａ，２ｂと隣接する側）の側面のみに段部を切り欠くようにすればよく、外側の側面には段部を切り欠く必要はない。
【００３４】
前述した柱２ａ，２ｂと梁４ａ，４ｂ，４ｃを接合する場合（図２及び図３参照）と同様、柱２ａ，２ｂの突部１０ａ，１０ｂの側面における先端方向外方に広がるように傾斜する角度に対して、土台６ａ，６ｂ，６ｃの突部３０ａ，３０ｂ，３０ｃの側面における側方に傾斜する角度が一致し、また、柱２ａ，２ｂの突部１０ａ，１０ｂの側面における側方に傾斜する角度に対して、土台６ａ，６ｂ，６ｃの突部３０ａ，３０ｂ，３０ｃの側面における先端方向外方に広がるように傾斜する角度が一致しており、両側面は密着して接合可能である。
【００３５】
柱２ａ，２ｂと土台６ａ，６ｂ，６ｃを互い違いに隣接するように配置、即ち、水平方向に配置された土台６ａの隣に柱２ａを垂直方向に配置し、その隣に土台６ｂを水平方向に配置し、その隣に柱２ｂを垂直方向に配置し、その隣に土台６ｃを水平方向に配置する。
【００３６】
そして、互い違いに配置された柱２ａ，２ｂ及び土台６ａ，６ｂ，６ｃの突部の側面同士を当接し、接合空間で一致するようにして係合する。なお、この際、柱２ａ，２ｂの基端面と土台６ａ，６ｂ，６ｃの下端面が面一となるようにし、且つ、土台６ａ，６ｂ，６ｃの先端面と柱２ａ，２ｂの外側面が面一になるように配置する。
【００３７】
次いで、柱２ａ，２ｂと土台６ａ，６ｂ，６ｃとの接合部分を緊締金具４０により締結する。即ち、緊締金具４０は、長尺ボルト４２ａ，４２ｂと、座金４３ａ，４３ｂと、ナット４４ａ，４４ｂからなり、長尺ボルト４２ａ，４２ｂを接合部分の一側端から他側端に貫通せしめ、座金４３ａ，４３ｂを介して、ナット４４ａ，４４ｂで締め付けて固定する。
【００３８】
このようにして、図５に示した如く、第１木質四角柱部材である柱２ａ，２ｂと第２木質四角柱部材である土台６ａ，６ｂ，６ｃとが互い違いに隣接して密着し、両者の結合部分を締結することで完全に固定され、且つ、土台６ａ，６ｂ，６ｃはアンカーボルト５２ａ，５２ｂに固定されるので、木造ラーメン構造で用いるのに充分な接合剛性や耐久性を備えた柱と土台の接合構造となる。
【００３９】
図６において、符号Ｈは木造建築物であり、符号Ｓは開口部、符号８０は本発明の木造ラーメン構造である。本発明の木造ラーメン構造８０により、木造建築物Ｈの１階部分に車庫や店舗のための空間を構築し、木造建築物Ｈの幅一杯に広く大きな開口部Ｓを設けている。
【００４０】
本発明の木造ラーメン構造８０は、前述した本発明の接合構造６０ａ，６０ｂにより、一方の側の柱２ａ，２ｂと梁４ａ，４ｂ，４ｃと土台６ａ，６ｂ，６ｃとを接合し、また、他方の側も部材の向きを逆にしただけで同様にして、柱２ｃ，２ｄと梁４ａ，４ｂ，４ｃと土台６ｄ，６ｅ，６ｆとを接合したものである。これにより、木造建築物であっても、水平荷重に対抗するための耐力壁は不要となり、広く大きな開口部Ｓを設けることができる。
【００４１】
次に、図７は、本発明の木造建築における木質部材の接合構造で用いる木質四角柱部材の端部形状の他の例を示す概念説明図であり、（ａ）はその平面図、（ｂ）はその正面図である。図８は、図７の木質四角柱部材の端部形状の他の例を用いた場合の本発明の接合構造（柱と梁を接合する場合）を示す概念説明図であり、図９は、図８の接合状態を示す概念説明図である。図１０は、図９を内側（入隅部側）から見た場合の接合状態を示す概念説明図である。図１１は、図７の木質四角柱部材の端部形状の他の例を用いた場合の本発明の接合構造（柱と土台を接合する場合）を示す概念説明図であり、図１２は、図１１の接合状態を示す概念説明図である。図１３は、図７の木質四角柱部材の端部形状の他の例を用いた場合の本発明の接合構造により、柱、梁及び土台を接合し、本発明の木造ラーメン構造を構築した場合を示す概念説明図である。
【００４２】
図７において、符号１０１は木質四角柱部材であり、本発明において、柱、梁、或いは土台として用いられる部材である。木質四角柱部材１０１としては市販の製材を用いることができ、例えば、３．５寸角〜４．５寸角の製材を用いればよい。
【００４３】
木質四角柱部材１０１の端部は、両側面に段部１１２を切り欠き、接合空間１１６が形成されており、これにより外方に突出する突部１１０が形成されている。この突部１１０は、いわゆる平ホゾに類似した形状となっており、その側面１１４の形状は先端方向に平行で且つ側方に直角である。
【００４４】
即ち、平面図で見た場合の突部１１０の基端部の幅Ｄ１２と先端部の幅Ｄ１３は同じ幅であり〔図７（ａ）参照〕、且つ、正面図で見た場合の突部１１０の一方の面側の幅Ｄ１３と他方の面側の幅Ｄ１４も同じ幅である〔図７（ｂ）参照〕。
【００４５】
なお、図示例では、木質四角柱部材１０１の端部の両側面に段部１１２を切り欠き、接合空間１１６を形成する場合を示しているが、本発明の接合構造を構成する際の両側端に位置する部材については、その端部の内側の側面のみに段部１１２を切り欠くようにすればよく、外側の側面には段部１１２を切り欠く必要はない。
【００４６】
図８において、符号１６０ａは、図７の木質四角柱部材の端部形状の他の例を用いた場合の本発明の接合構造であって、柱と梁を接合する場合の接合構造である。符号１０２ａ，１０２ｂは、第１木質四角柱部材であり、垂直材としての柱である。符号１０４ａ，１０４ｂ，１０４ｃは、第２木質四角柱部材であり、横架材としての梁である。
【００４７】
この柱１０２ａ，１０２ｂ及び梁１０４ａ，１０４ｂ，１０４ｃは、前述した木質四角柱部材１０１の端部形状と同様の構造を有するものであり、柱１０２ａ，１０２ｂには、夫々、前記図１に示した突部１１０と同様の突部１１０ａ，１１０ｂが形成され、また、梁１０４ａ，１０４ｂ，１０４ｃにも、夫々、同様の突部１２０ａ，１２０ｂ，１２０ｃが形成されているものである。但し、本発明の接合構造１６０ａの両側端に位置する部材（図示例では、梁１０４ａ，１０４ｃ）については、その端部の内側（柱１０２ａ，１０２ｂと隣接する側）の側面のみに段部を切り欠くようにすればよく、外側の側面には段部を切り欠く必要はない。
【００４８】
第２木質四角柱部材としての梁１０４ａ，１０４ｂ，１０４ｃの突部１２０ａ、１２０ｂ，１２０ｃにおける柱１０２ａ，１０２ｂの突部１１０ａ，１１０ｂと隣接する側の側面は、該柱１０２ａ，１０２ｂの突部１１０ａ，１１０ｂの側面に密着して接合するように形成されており、即ち、梁１０４ａ，１０４ｂ，１０４ｃの突部１２０ａ、１２０ｂ，１２０ｃの側面は、先端方向に平行で且つ側方に直角であり、また、柱１０２ａ，１０２ｂの突部１１０ａ，１１０ｂの側面も先端方向に平行で且つ側方に直角であることから、両側面は密着して接合可能である。
【００４９】
このような柱１０２ａ，１０２ｂ及び梁１０４ａ，１０４ｂ，１０４ｃを接合する場合には、まず、これらの部材が互い違いに隣接するように配置する。即ち、水平方向に配置された梁１０４ａの隣に柱１０２ａを垂直方向に配置し、その隣に梁１０４ｂを水平方向に配置し、その隣に柱１０２ｂを垂直方向に配置し、その隣に梁１０４ｃを水平方向に配置する。
【００５０】
そして、互い違いに配置された柱１０２ａ，１０２ｂ及び梁１０４ａ，１０４ｂ，１０４ｃの突部の側面同士を当接し、接合空間で一致するようにして係合する。なお、この際、柱１０２ａ，１０２ｂの先端面と梁１０４ａ，１０４ｂ，１０４ｃの上端面が面一になるようにし、且つ、梁１０４ａ，１０４ｂ，１０４ｃの先端面と柱１０２ａ，１０２ｂの外側面が面一になるようにする。
【００５１】
そして、柱１０２ａ，１０２ｂと梁１０４ａ，１０４ｂ，１０４ｃとの接合部分の出隅部にＬ字型金具１４２ａを釘１４４で打ち付け、また、接合部分の入隅部にもＬ字型金具１４２ｂを釘１４４で打ち付けて、接合部分を固定する。
【００５２】
このようにして、図９及び図１０に示した如く、第１木質四角柱部材である柱１０２ａ，１０２ｂと第２木質四角柱部材である梁１０４ａ，１０４ｂ，１０４ｃとが互い違いに隣接して密着し、両者の接合部分の出隅部と入隅部に固定金具を釘着することで完全に固定されるため、木造ラーメン構造で用いるのに充分な接合剛性や耐久性を備えた柱と梁の接合構造となる。
【００５３】
図１１において、符号１６０ｂは、図７の木質四角柱部材の端部形状の他の例を用いた場合の本発明の接合構造であって、柱と土台を接合する場合の接合構造である。符号１０２ａ，１０２ｂは、第１木質四角柱部材であり、垂直材としての柱である。符号１０６ａ，１０６ｂは第２木質四角柱部材であり、横材としての土台である。
【００５４】
土台１０６ａ，１０６ｂ，１０６ｃは、夫々、コンクリート基礎（不図示）に埋め込まれているアンカーボルト１５２ａ，１５２ｂに対し、座金１５３ａ，１５３ｂを介してナット１５４ａ，１５４ｂで締め付けることにより固定されるようになっている。
【００５５】
この柱１０２ａ，１０２ｂ及び土台１０６ａ，１０６ｂ，１０６ｃは、前述した木質四角柱部材１０１と同様の端部形状を有するものであり、柱１０２ａ，１０２ｂには、夫々、前記図７に示した突部１１０と同様の突部１１０ｃ，１１０ｄが形成され、また、土台１０６ａ，１０６ｂ，１０６ｃにも、夫々、同様の突部１３０ａ，１３０ｂ，１３０ｃが形成されている。但し、本発明の接合構造１６０ｂの両側端に位置する部材（図示例では、土台１０６ａ，１０６ｃ）については、その端部の内側（柱１０２ａ，１０２ｂと隣接する側）の側面のみに段部を切り欠くようにすればよく、外側の側面には段部を切り欠く必要はない。
【００５６】
前述した柱１０２ａ，１０２ｂと梁１０４ａ，１０４ｂ，１０４ｃを接合する場合（図８〜図１０参照）と同様、柱１０２ａ，１０２ｂと土台１０６ａ，１０６ｂ，１０６ｃの突部側面が夫々、先端方向に平行で且つ側方に直角であり、両側面は密着して接合可能である。
【００５７】
柱１０２ａ，１０２ｂと土台１０６ａ，１０６ｂ，１０６ｃを互い違いに隣接するように配置、即ち、水平方向に配置された土台１０６ａの隣に柱１０２ａを垂直方向に配置し、その隣に土台１０６ｂを水平方向に配置し、その隣に柱１０２ｂを垂直方向に配置し、その隣に土台１０６ｃを水平方向に配置する。
【００５８】
そして、互い違いに配置された柱１０２ａ，１０２ｂ及び土台１０６ａ，１０６ｂ，１０６ｃの突部の側面同士を当接し、接合空間で一致するようにして係合する。なお、この際、柱１０２ａ，１０２ｂの基端面と土台１０６ａ，１０６ｂ，１０６ｃの下端面が面一となるようにし、且つ、土台１０６ａ，１０６ｂ，１０６ｃの先端面と柱１０２ａ，１０２ｂの外側面が面一になるように配置する。
【００５９】
次いで、柱１０２ａ，１０２ｂと土台１０６ａ，１０６ｂ，１０６ｃとの接合部分の入隅部にＬ字型金具１４２ｃを釘１４４で柱１０２ａ，１０２ｂ及び土台１０６ｂに打ち付け、また、土台１０６ａ，１０６ｃに対しては、Ｌ字型金具１４２ｃをアンカーボルト１５２ａを介して座金１５３ａ及びナット１５４ａで締め付けることにより固定する。
【００６０】
このようにして、図１２に示した如く、第１木質四角柱部材である柱１０２ａ，１０２ｂと第２木質四角柱部材である土台１０６ａ，１０６ｂ，１０６ｃとが互い違いに隣接して密着し、両者の接合部分の入隅部に固定金具を釘着することで完全に固定されるため、木造ラーメン構造で用いるのに充分な接合剛性や耐久性を備えた柱と土台の接合構造となる。
【００６１】
図１３において、符号Ｈは木造建築物であり、符号Ｓは開口部、符号１８０は本発明の木造ラーメン構造である。本発明の木造ラーメン構造１８０により、木造建築物Ｈの１階部分に車庫や店舗のための空間を構築し、広く大きな開口部Ｓを設けている。
【００６２】
本発明の木造ラーメン構造１８０は、前述した本発明の接合構造１６０ａ，１６０ｂにより、一方の側の柱１０２ａ，１０２ｂと梁１０４ａ，１０４ｂ，１０４ｃと土台１０６ａ，１０６ｂ，１０６ｃとを接合し、また、他方の側も部材の向きを逆にしただけで同様にして、柱１０２ｃ，１０２ｄと梁１０４ａ，１０４ｂ，１０４ｃと土台１０６ｄ，１０６ｅ，１０６ｆとを接合したものである。これにより、木造建築物であっても、水平荷重に対抗するための耐力壁は不要となり、木造建築物Ｈの幅一杯に広く大きな開口部Ｓを設けることができる。
【００６３】
上述した実施の形態では、木質四角柱部材の端部形状の一例（図１参照）の場合と他の例（図７参照）の場合との２形態を例示したが、木質四角柱部材の端部形状としては、第１木質四角柱部材の突部の側面の形状と、第２木質四角柱部材の突部の側面の形状とが、互いに密着して接合する形状となっていれば良いもので、これらの例示に限られるものではない。例えば、第１木質四角柱部材の突部の側面に凹凸を形成し、これに対応して第２木質四角柱部材の突部の側面にも凹凸を形成するようにしてもよい。
【００６４】
なお、本発明の木造建築における木質部材の接合構造及び木造ラーメン構造における柱や梁の本数及び土台の個数は、求められる性能や立地条件等により適宜必要に応じて、増減可能であることは、言うまでもない。
【００６５】
【発明の効果】
以上述べたように、本発明によれば、木造ラーメン構造としての充分な強度を有する接合剛性や耐久性を得ることができ、施工性、経済性、利便性に優れた木造建築における木質部材の接合構造及び木造ラーメン構造を提供することができるという大きな効果を奏する。
【図面の簡単な説明】
【図１】本発明の木造建築における木質部材の接合構造で用いる木質四角柱部材の端部形状の一例を示す概念説明図であり、（ａ）はその平面図、（ｂ）はその正面図である。
【図２】図１の木質四角柱部材の端部形状の一例を用いた場合の本発明の接合構造（柱と梁を接合する場合）を示す概念説明図である。
【図３】図２の接合状態を示す概念説明図である。
【図４】図１の木質四角柱部材の端部形状の一例を用いた場合の本発明の接合構造（柱と土台を接合する場合）を示す概念説明図である。
【図５】図４の接合状態を示す概念説明図である。
【図６】図１の木質四角柱部材の端部形状の一例を用いた場合の本発明の接合構造により、柱、梁及び土台を接合し、本発明の木造ラーメン構造を構築した場合を示す概念説明図である。
【図７】本発明の木造建築における木質部材の接合構造で用いる木質四角柱部材の端部形状の他の例を示す概念説明図であり、（ａ）はその平面図、（ｂ）はその正面図である。
【図８】図７の木質四角柱部材の端部形状の他の例を用いた場合の本発明の接合構造（柱と梁を接合する場合）を示す概念説明図である。
【図９】図８の接合状態を示す概念説明図である。
【図１０】図９を内側（入隅部側）から見た場合の接合状態を示す概念説明図である。
【図１１】図７の木質四角柱部材の端部形状の他の例を用いた場合の本発明の接合構造（柱と土台を接合する場合）を示す概念説明図である。
【図１２】図１１の接合状態を示す概念説明図である。
【図１３】図７の木質四角柱部材の端部形状の他の例を用いた場合の本発明の接合構造により、柱、梁及び土台を接合し、本発明の木造ラーメン構造を構築した場合を示す概念説明図である。
【図１４】従来のラーメン構造を示す模式図であり、（ａ）は鉄骨造、ＲＣ造の場合、（ｂ）は木造の場合である。
【符号の説明】
１：木質四角柱部材、２：柱、２ａ，２ｂ，２ｃ，２ｄ：柱（第１木質四角柱部材）、３：壁、４：梁、４ａ，４ｂ，４ｃ：梁（第２木質四角柱部材）、６ａ，６ｂ，６ｃ，６ｄ，６ｅ，６ｆ：土台（第２木質四角柱部材）、１０，１０ａ，１０ｂ，１０ｃ，１０ｄ：突部、１２：段部、１４，１４ａ：側面、１６：接合空間、２０ａ，２０ｂ，２０ｃ：突部、２４ｂ：側面、３０ａ，３０ｂ，３０ｃ：突部、４０：緊締金具、４２ａ，４２ｂ：長尺ボルト、４３ａ，４３ｂ：座金、４４ａ，４４ｂ：ナット、５２ａ，５２ｂ：アンカーボルト、５３ａ，５３ｂ：座金、５４ａ，５４ｂ：ナット、６０ａ，６０ｂ：本発明の接合構造、８０：本発明のラーメン構造、１０１：木質四角柱部材、１０２ａ，１０２ｂ，１０２ｃ，１０２ｄ：柱（第１木質四角柱部材）、１０４ａ，１０４ｂ，１０４ｃ：梁（第２木質四角柱部材）、１０６ａ，１０６ｂ，１０６ｃ，１０６ｄ，１０６ｅ，１０６ｆ：土台（第２木質四角柱部材）、１１０，１１０ａ，１１０ｂ，１１０ｃ，１１０ｄ：突部、１１２：段部、１１４：側面、１１６：接合空間、１２０ａ，１２０ｂ，１２０ｃ：突部、１３０ａ，１３０ｂ，１３０ｃ：突部、１４２ａ，１４２ｂ，１４２ｃ：Ｌ字型金具、１４４：釘、１５２ａ，１５２ｂ：アンカーボルト、１５３ａ，１５３ｂ：座金、１５４ａ，１５４ｂ：ナット、１６０ａ，１６０ｂ：本発明の接合構造、１８０：本発明の木造ラーメン構造、Ｈ：木造建築物、Ｓ：開口部、δ：変形量。
【図１】
2004190300.tif 000003
【図２】
2004190300.tif 000004
【図３】
2004190300.tif 000005
【図４】
2004190300.tif 000006
【図５】
2004190300.tif 000007
【図６】
2004190300.tif 000008
【図７】
2004190300.tif 000009
【図８】
2004190300.tif 000010
【図９】
2004190300.tif 000011
【図１０】
2004190300.tif 000012
【図１１】
2004190300.tif 000013
【図１２】
2004190300.tif 000014
【図１３】
2004190300.tif 000015
【図１４】
2004190300.tif 000016